(57)【要約】【課題】資料の覗き見行為を防止するとともに利用者にとって理解しやすい形で表示を行う表示制御装置及びプログラムを提供する。【解決手段】表示制御装置が、資料情報の文章又は図等を意味的なまとまりごとに分割した複数の部分のうち１以上の部分の各々について、当該部分と他の各部分との関連度を算し、算出された関連度が所定の基準値以上である他の１又は複数の部分を関連部分として対応付けてデータベースに登録し、情報端末から、隠蔽処理を解除すべき部分を指定部分として指定した資料情報の表示要求を受信したことに応じてデータベースを参照することにより、該当する指定部分と対応する１又は複数の関連部分とを抽出し、抽出された指定部分及び１又は複数の関連部分を表示部分として特定し、特定された表示部分のみ隠蔽処理を解除して資料情報の画面を情報端末に送信する各手段を備える。【選択図】図１
2013200599.tif 000002
【特許請求の範囲】
【請求項１】
隠蔽処理された文章又は図等を含む資料情報の画面を、少なくとも一部の隠蔽処理を解除した上で情報端末に送信する処理を行う表示制御装置において、
資料情報に含まれる文章又は図等を意味的なまとまりごとに分割した複数の部分のうち１以上の部分の各々について、当該部分と他の各部分との関連度を所定の条件に基づいて算出する手段と、
算出された前記関連度が所定の基準値以上である他の１又は複数の部分を、前記１以上の部分の各々についての１又は複数の関連部分として対応付けてデータベースに登録する手段と、
前記情報端末から、隠蔽処理を解除すべき部分を指定部分として指定した資料情報の表示要求を受信したことに応じて、前記データベースを参照することにより、該当する前記指定部分と前記指定部分に対応付けられた前記１又は複数の関連部分とを抽出し、抽出された前記指定部分及び前記１又は複数の関連部分を、資料情報における表示部分として特定する手段と、
特定された前記表示部分のみ隠蔽処理を解除して資料情報の画面を前記情報端末に送信する手段と、を備えたことを特徴とする
資料情報の表示制御装置。
【請求項２】
隠蔽処理された文章又は図等を含む資料情報の画面を、少なくとも一部の隠蔽処理を解除した上で情報端末に送信する処理を行う表示制御装置に対し、
資料情報に含まれる文章又は図等を意味的なまとまりごとに分割した複数の部分のうち１以上の部分の各々について、当該部分と他の各部分との関連度を所定の条件に基づいて算出する機能と、
算出された前記関連度が所定の基準値以上である他の１又は複数の部分を、前記１以上の部分の各々についての１又は複数の関連部分として対応付けてデータベースに登録する機能と、
前記情報端末から、隠蔽処理を解除すべき部分を指定部分として指定した資料情報の表示要求を受信したことに応じて、前記データベースを参照することにより、該当する前記指定部分と前記指定部分に対応付けられた前記１又は複数の関連部分とを抽出し、抽出された前記指定部分及び前記１又は複数の関連部分を、資料情報における表示部分として特定する機能と、
特定された前記表示部分のみ隠蔽処理を解除して資料情報の画面を前記情報端末に送信する機能と、を実現させることを特徴とする
資料情報の表示制御プログラム。
【発明の詳細な説明】
【技術分野】
【０００１】
本発明は、情報端末にて機密資料や重要資料を安全にかつ簡便に閲覧するための、資料情報の表示制御装置及びプログラムに関する。
【背景技術】
【０００２】
企業活動において情報端末は広く利用されており、情報端末の表示部（ディスプレイ）にて機密資料や重要資料を閲覧したり処理したりすることも日常的に行われている。このため、機密資料や重要資料が表示される情報端末の情報表示においては、他者からの覗き見行為を防止する方策が不可欠なものとして求められている。
【０００３】
覗き見行為の防止方法の従来技術として、ディスプレイ上の機密情報部分を読み取ることができないように処理を行い、利用者の指定した部分のみを閲覧させる技術が存在している。例えば、特許文献１では、特定のウインドウによって指定された一部の文字のみを視認できるようにし他の文字を隠蔽することで利用者以外の他者からの本文の推測あるいは把握を困難にしている。例えば、特許文献２ではゲームのヒント提示画面においてキーとなる単語が隠蔽されており、利用者がタッチ操作で指定することで隠蔽されている単語が表示されるものである。
【先行技術文献】
【特許文献】
【０００４】
【特許文献１】特開２００４−２５２７７３号公報
【特許文献２】特開２０１０−２３３９５９号公報
【発明の概要】
【発明が解決しようとする課題】
【０００５】
ところで、一般的に利用者は、文章や文章以外の要素（例えば図）を含む資料の内容を理解するために、文章と文章の関係や図と文章の関係を把握して読むことでより理解しやすくなる。例えばＡ文章とＢ文章が相反した文章であるならこれらを比較しながら読み、Ｃ図とそれを説明したＤ文章ならばこれらを同時に読むことが多い。
【０００６】
しかし、上述した特許文献１、特許文献２では覗き見行為の防止のために利用者が指定した部分のみしか閲覧することができない。
【０００７】
このため、指定した部分の文章と別の部分の文章とを比較しながら閲覧したり、指定した部分の図とその図の説明文等とを同時に閲覧することができない。この結果、資料の覗き見行為の防止には有用な機能が、その反面、資料内容の理解を困難としていた。
【０００８】
本発明の目的は、資料の覗き見行為を防止してセキュリティレベルを向上させるとともに、なおかつ利用者にとって理解しやすい形での資料の表示を行うことが可能な資料情報の表示制御装置及びプログラムを提供することにある。
【課題を解決するための手段】
【０００９】
上記目的を達成するために、本発明は、以下の構成を提供する。
本発明による、資料情報の表示制御装置は、隠蔽処理された文章又は図等を含む資料情報の画面を、少なくとも一部の隠蔽処理を解除した上で情報端末に送信する処理を行うものであって、
隠蔽処理された文章又は図等を含む資料情報の画面を、少なくとも一部の隠蔽処理を解除した上で情報端末に送信する処理を行う表示制御装置において、
資料情報に含まれる文章又は図等を意味的なまとまりごとに分割した複数の部分のうち１以上の部分の各々について、当該部分と他の各部分との関連度を所定の条件に基づいて算出する手段と、
算出された前記関連度が所定の基準値以上である他の１又は複数の部分を、前記１以上の部分の各々についての１又は複数の関連部分として対応付けてデータベースに登録する手段と、
前記情報端末から、隠蔽処理を解除すべき部分を指定部分として指定した資料情報の表示要求を受信したことに応じて、前記データベースを参照することにより、該当する前記指定部分と前記指定部分に対応付けられた前記１又は複数の関連部分とを抽出し、抽出された前記指定部分及び前記１又は複数の関連部分を、資料情報における表示部分として特定する手段と、
特定された前記表示部分のみ隠蔽処理を解除して資料情報の画面を前記情報端末に送信する手段と、を備えたことを特徴とする。
【００１０】
また、本発明による、資料情報の表示制御プログラムは、隠蔽処理された文章又は図等を含む資料情報の画面を、少なくとも一部の隠蔽処理を解除した上で情報端末に送信する処理を行う表示制御装置に対し、
資料情報に含まれる文章又は図等を意味的なまとまりごとに分割した複数の部分のうち１以上の部分の各々について、当該部分と他の各部分との関連度を所定の条件に基づいて算出する機能と、
算出された前記関連度が所定の基準値以上である他の１又は複数の部分を、前記１以上の部分の各々についての１又は複数の関連部分として対応付けてデータベースに登録する機能と、
前記情報端末から、隠蔽処理を解除すべき部分を指定部分として指定した資料情報の表示要求を受信したことに応じて、前記データベースを参照することにより、該当する前記指定部分と前記指定部分に対応付けられた前記１又は複数の関連部分とを抽出し、抽出された前記指定部分及び前記１又は複数の関連部分を、資料情報における表示部分として特定する機能と、
特定された前記表示部分のみ隠蔽処理を解除して資料情報の画面を前記情報端末に送信する機能と、を実現させることを特徴とする。
【発明の効果】
【００１１】
本発明による資料情報の表示制御装置及び情報表示制御プログラムによれば、次のような効果がある。
情報端末にて資料情報の画面を表示させた際に、指定部分と関連部分以外の部分は隠蔽処理されているので、他者からの覗き見行為に対するリスクが減少し、これによりセキュリティレベルを高めることができる。
また、指定部分のみでなく、指定部分と関連度の高い関連部分も自動的に隠蔽処理が解除されて表示されるので、利用者の閲覧時の理解を支援することができ、負担を軽減することができる。
【図面の簡単な説明】
【００１２】
【図１】図１は、本発明を適用した一実施例を概略的に示すシステム構成図である。
【図２】図２は、資料情報関連性データベースのテーブル構成の一実施例を示す図である。
【図３】図３は、図１に示したホスト処理装置の資料情報処理部における対象資料に対する前処理の概要を示すフローチャートである。
【図４】図４は、この分割処理を行う前の対象資料と分割処理後の対象資料のイメージ図である。
【図５】図５は、図１に示したホスト処理装置の表示部分処理部及びＤＢ検索処理部における、利用者すなわち情報端末からの表示要求を受信した際の処理の概要を示すフローチャートである。
【図６】図６の左側は、最初に情報端末のディスプレイに表示される画面のイメージ図であり、右側は、指定部分及び関連部分の隠蔽処理が解除された後に、情報端末のディスプレイに表示される画面のイメージ図である。
【発明を実施するための形態】
【００１３】
以下、本発明の実施形態を、実施例を示した図面に基づいて説明する。
図１は、本発明を適用した一実施例を概略的に示すシステム構成図である。
本発明を適用したシステム全体は、対象資料１１を入力情報とするホスト処理装置１３と、ホスト処理装置１３により管理される資料情報関連性データベース１２と、情報伝送のためにホスト処理装置１３と接続可能な情報端末１４と、を備えている。ホスト処理装置１３は、情報端末１４のディスプレイ上の画面の表示を制御する表示制御装置としての役割を果たすものである。
【００１４】
対象資料１１は、情報端末１４にて少なくとも一部に隠蔽処理を施されながら閲覧する資料の現物である。例えば、個人情報、人事考課、売上情報等の、他者に見られてはならない内容が記載された機密資料ないしは重要資料等を想定している。対象資料１１の形式的内容としては、文章と、文章以外の図、表、グラフ等（以下「図等」と称する）とが含まれている。対象資料１１をＯＣＲ装置等で読み込むことにより、対象資料１１を構成する文章及び図等を電子データに変換したもの「資料情報」と称することとする。
【００１５】
情報端末１４は、利用者により操作される。情報端末１４は、ホスト処理装置１３に対する情報入力端末及び利用者への結果表示端末として機能する。例えば、パーソナルコンピュータのディスプレイとマウス、タブレット端末やスマートフォンのタッチディスプレイを想定する。
【００１６】
ホスト処理装置１３には、資料情報処理部１３１と、ＤＢ登録処理部１３２と、表示部分処理画面１３３と、ＤＢ検索処理部１３４とを備えている。これらの処理部の機能は、例えばサーバコンピュータであるホスト処理装置１３に導入されたプログラムをメモリに読み込みＣＰＵが実行することにより、実現されるものである。
【００１７】
資料情報処理部１３１は、対象資料１１の資料情報に対して所定の前処理を行うことにより、資料情報内の複数の部分の各々の間の関連性を導出する。ＤＢ登録処理部１３２は、前処理の結果である資料情報内の関連性情報を資料情報関連性データベース１２に登録する。表示部分処理部１３３は、情報端末１４からの表示要求を受け取り、ディスプレイに表示する画面（隠蔽処理を施された部分と、隠蔽処理を解除された表示部分とを含む）の作成処理を行う。ＤＢ検索処理部１３４は、表示部分処理部１３３による処理の際に必要となる表示部分を特定するために、情報端末１４から指定された指定部分に基づいて資料情報関連性データベース１２から関連部分を抽出する処理を行う。
【００１８】
図２は、資料情報関連性データベース１２のテーブル構成の一実施例を示す図である。
図１に示したホスト処理装置１３に新たな対象資料１１が登録されるたびに、資料情報処理部１３１により前処理が行われ、その結果が資料情報関連性データベース１２に登録される。
【００１９】
対象資料の資料情報は、後述する図３の処理により意味のまとまりのある文章又は図等ごとに複数の部分に分割される。資料情報関連性データベース１２は、これら複数の部分の各々について、当該部分と、当該部分と関連性の高い１又は複数の関連部分を対応付けて登録している。図示の例では、１つのテーブルが「対象資料名」２１、「指定部分」２２、「関連部分」２３の各エリアデータから構成されている。
【００２０】
「対象資料名」２１には、対象資料の名称が格納される。「指定部分」２２は、関連度を求める主体となる部分（利用時に情報端末の利用者により指定される部分）であり、当該部分を一意に識別する情報が登録される。「関連部分」２３は、「指定部分」２２との関連度が所定の基準値以上の部分（すなわち関連性の高い部分）であり、当該部分を一意に識別する情報が登録される。図示の例では、「関連部分」２３は１つであるが、複数あってもよい。
【００２１】
図示の例では、資料情報に含まれる複数の部分の各々について、それぞれを「指定部分」として各テーブルが作成されている。「指定部分」２２と「関連部分」２３には、それぞれの部分の、対象資料内での位置情報（ディスプレイ上に表示された画面での位置情報と同等）が登録される。図示の例では、位置情報として、対象資料の左上を原点（０，０）とした座標を利用している。すなわち、「指定部分」２２又は「関連部分」２３のそれぞれの占める範囲（この場合、矩形とする）の左上位置情報と右下位置情報を合わせた情報を位置情報としている。
【００２２】
なお、資料情報に含まれる複数の部分の各々の全てを「指定部分」として、その「関連部分」を求めなくともよい場合もある。例えば、比較的重要な一部の部分のみを「指定部分」としてその「関連部分」を求めて登録すれば足りる場合もある。例えば、対象資料が規定の様式に沿って作成されていて、重要な部分とそうでない部分が判明している場合などである。よって、指定部分の関連部分を求める前処理は、資料情報に含まれる複数の部分のうち必要な１以上の部分（全部の場合も含む）について行えばよいことになる。
【００２３】
図３は、図１に示したホスト処理装置１３の資料情報処理部１３１における対象資料１１に対する前処理の概要を示すフローチャートである。なお、フローチャートの説明においては、図１中の符号を参照する場合がある。
【００２４】
資料情報処理部１３１は、本システムの利用に先立つ前処理を行う。対象資料１１の資料情報を入力情報とし、資料情報内の各部分の間の関連度を算出し、算出された関連度の大小に基づいて、１つの部分と他の各部分との関連性の程度を判断する。ここで関連性が高いと判断された一群の部分は、利用時に情報端末から所定の表示要求があった場合に、隠蔽処理を解除されて同時に表示されることとなる。
【００２５】
まず、ＯＣＲ装置を利用して対象資料１１を構成する文章や図等の読み込みを行い、資料情報を取得する（ステップ３１）。
次に、読み込んだ資料情報を基に、資料情報に含まれる文章や図等を、段落若しくは文章を単位として、又は、図等を単位として、意味的なまとまりごとに分割する（ステップ３２）。
【００２６】
ここで図４は、この分割処理を行う前の対象資料４１と分割処理後の対象資料４２のイメージ図である。分割処理後の対象資料４２は、意味的なまとまりである各部分４３ごとに分割される。同時に、各部分４３の占める範囲、すなわちディスプレイ上に表示された場合の画面上で占める範囲も確定する。
【００２７】
次に、分割された各部分の内容に関する所定の条件に基づいて、各部分間の関連度を求める。例えば、文章と文章の間の場合、単語の共起度や重要キーワードの有無により判断する。また例えば、文章と図等の間の場合、文章に図等のタイトルが含まれているか否かにより判断する。関連度は、大小の比較を容易とするために数値又は数値と同等の指標で表すことが好ましい。また、２つの部分間の関連度を複数の条件に基づいて求める場合、各条件による関連度を積算することで２つの部分間の最終的な関連度とする。このようにして、１つの部分に対して、他の各部分との関連度を算出する（ステップ３３）。
【００２８】
次に、算出した関連度が所定の基準値以上か否かを判断する。１つの部分に対して、所定の基準値以上の関連度をもつ他の１又は複数の部分を、当該１つの部分に対する関連部分として特定する。所定の基準値は、個々の対象資料の内容に依存するので、適宜決定されるものである。このようにして、各部分について同様の処理を行う（ステップ３４）。得られた結果は、図２で上述した通り、資料情報関連性データベースに登録する。
【００２９】
図５は、図１に示したホスト処理装置１３の表示部分処理部１３３及びＤＢ検索処理部１３４における、利用者すなわち情報端末１４からの表示要求を受信した際の処理の概要を示すフローチャートである。なお、フローチャートの説明においては、図１中の符号を参照する場合がある。
【００３０】
まず表示部分処理部１３３は、対象資料１１を閲覧できないように、分割処理された各部分の全てに対して隠蔽処理を行う（ステップ５１）。このように最初は、対象資料１１の全ての部分に対して隠蔽処理を施した画面を作成する。
次に、情報端末１４から、隠蔽処理を解除すべき部分を指定した資料情報の表示要求を受信する（ステップ５２）。
【００３１】
ここで、図６の左側は、最初に情報端末１４のディスプレイに表示される画面６１のイメージ図である。最初は、全ての部分が隠蔽されて表示される。そして、利用者が指定カーソル６２を用いて、表示させたい１つの部分を指定部分として指定すると、この指定部分の情報がホスト処理装置１３へ送信される。
【００３２】
次にＤＢ検索処理部１３４は、情報端末１４から受信した表示要求に含まれる指定部分の指定に基づいて、資料情報関連性データベース１２を検索することにより、該当する指定部分と、その指定部分に対応付けられた１又は複数の関連部分とを抽出する。これらの抽出された指定部分及び関連部分を、その資料情報における表示部分として特定する。そして、特定された表示部分の文章又は図等を取得する（ステップ５３）。
【００３３】
次に、表示部分（指定部分と関連部分）の隠蔽処理を解除した上で、対象資料１１の画面を作成する（ステップ５４）。
ここで、図６の右側は、指定部分６３及び関連部分６４の隠蔽処理が解除された後に、情報端末１４のディスプレイに表示される画面のイメージ図である。隠蔽処理が解除された表示部分は閲覧可能となる。
【００３４】
さらに、表示部分処理部１３３は、携帯端末１４からの指定部分の変更が行われたかどうかの判断を行う。変更が行われた際にはステップ５１へ戻り、表示可能であった部分に再度隠蔽処理を施し、携帯端末１４からの新たな指定部分の入力を待つこととなる（ステップ５５）。
【符号の説明】
【００３５】
１１・・・対象資料
１２・・・資料情報関連性データベース
１３・・・ホスト処理装置（表示制御装置）
１３１・・・資料情報処理部
１３２・・・ＤＢ登録処理部
１３３・・・表示部分処理部
１３４・・・ＤＢ検索処理部
１４・・・情報端末
４１・・・分割処理前の対象資料イメージ
４２・・・分割処理後の対象資料イメージ
４３・・・対象資料の分割された部分の範囲
６１・・・情報端末の表示画面イメージ
６２・・・指定カーソル
６３・・・指定部分
６４・・・関連部分
【図１】
2013200599.tif 000003
【図２】
2013200599.tif 000004
【図３】
2013200599.tif 000005
【図４】
2013200599.tif 000006
【図５】
2013200599.tif 000007
【図６】
2013200599.tif 000008